(57)【特許請求の範囲】
【請求項１】
水素元素を含む原料から水素を製造する水素製造装置と、
前記水素製造装置から供給された水素を用いて定期稼働で発電する発電装置と、
前記発電装置と前記水素製造装置とを制御する制御装置とを備え、
前記制御装置は、電力系統から買取る単位電力量当たりの電力価格が前記発電装置を用いて発電するためにかかった単位電力量当たりの発電コスト未満である場合に、前記電力系統から前記水素製造装置に電力を供給し、前記発電コストが前記電力価格以下である場合に、前記発電装置から前記水素製造装置に電力を供給するものとし、
前記発電コストは原料費を含む変動費である水素供給システム。
【請求項２】
さらに、前記水素製造装置から供給された水素を不定期稼働で外部に供給する水素供給装置を備え、
前記制御装置は、前記電力価格が前記発電コスト未満である場合に、前記電力系統から前記水素供給装置に電力を供給し、前記発電コストが前記電力価格以下である場合に、前記発電装置から前記水素供給装置に電力を供給する請求項１に記載の水素供給システム。
【請求項３】
前記発電装置が発電停止している状態において、
前記制御装置は、前記電力価格が前記発電コスト未満である場合に、前記水素製造装置に前記電力系統からの電力を供給し、前記発電コストが前記電力価格以下である場合に、前記電力系統からの電力を前記水素製造装置及び前記発電装置に供給し、前記発電装置を起動して発電を開始した後、前記水素製造装置に前記発電装置からの電力を供給する請求項１に記載の水素供給システム。
【請求項４】
前記発電装置が発電停止している状態において、
前記制御装置は、前記電力価格が前記発電コスト未満である場合に、前記水素供給装置に前記電力系統からの電力を供給し、前記発電コストが前記電力価格以下である場合に、前記電力系統からの電力を前記水素製造装置、前記発電装置及び前記水素供給装置に供給し、前記発電装置を起動して発電を開始した後、前記水素供給装置に前記発電装置からの電力を供給する請求項２に記載の水素供給システム。
【発明の詳細な説明】
【技術分野】
【０００１】
本発明は、水素により発電する燃料電池（ＦＣ：Ｆｕｅｌ  Ｃｅｌｌ）等の発電装置に水素を供給するための水素供給システムに関する。
【背景技術】
【０００２】
従来、住宅又は店舗・工場等の施設に設置されている燃料電池設備がこれら外部の施設内の電気設備に電力を供給することが検討されている。
【０００３】
また、燃料電池が搭載された燃料電池自動車（ＦＣＶ：Ｆｕｅｌ  Ｃｅｌｌ  Ｖｅｈｉｃｌｅ）等の移動体に水素を供給したりする水素供給システムが知られている（例えば特許文献１参照）。
【０００４】
特許文献１では、水素製造装置と、燃料電池設備である発電装置と、制御装置とを備えた水素供給システムが開示されている。水素製造装置は、炭化水素を含む原料から水素を製造し、発電装置と外部とに水素を供給する。発電装置は、水素製造装置で製造された水素を用いて発電し、水素製造装置及び水素供給設備に稼動用電力を供給している。
【０００５】
この水素供給システムでは、通常は、発電装置の電力と外部の電力とを併用して、水素製造装置及び水素供給設備に稼動用電力を供給して運転が行なわれる。
【先行技術文献】
【特許文献】
【０００６】
【特許文献１】特開２００３−９５６１２号公報
【発明の概要】
【発明が解決しようとする課題】
【０００７】
しかしながら、特許文献１に記載された水素供給システムでは、水素元素を含む原料等の価格変動により、発電装置を用いて発電するためにかかった単位電力量当たりの発電コストが変動しても、発電装置は水素製造装置に電力を供給する状態を継続していた。このため、例えば、原料が高騰すると、水素製造装置が製造する水素の単価も高騰し、発電装置を用いて発電するためにかかった単位電力量当たりの発電コストも高騰する。そして、水素製造装置は、発電コストが高騰したこの電力を稼動用電力として使用して水素を製造する。その結果、この水素供給システムでは、原料の価格が高騰すれば、発電コストが高騰し易い。また、例えば、外部の電力価格が時間帯毎に変動する場合がある。特許文献１に記載された水素供給システムでは、外部の電力価格が変動しても、発電装置は水素製造装置に電力を供給する状態を継続していた。
【０００８】
本発明は、このような課題に鑑みてなされたものであり、水素の製造コスト及び発電コストの高騰化を抑制することができる水素供給システムを提供することを目的とする。
【課題を解決するための手段】
【０００９】
上記課題を解決するために、本発明の一態様に係る水素供給システムは、水素元素を含む原料から水素を製造する水素製造装置と、前記水素製造装置から供給された水素を用いて定期稼働で発電する発電装置と、前記発電装置と前記水素製造装置とを制御する制御装置とを備え、前記制御装置は、電力系統から買取る単位電力量当たりの電力価格が前記発電装置を用いて発電するためにかかった単位電力量当たりの発電コスト未満である場合に、前記電力系統から前記水素製造装置に電力を供給し、前記発電コストが前記電力価格以下である場合に、前記発電装置から前記水素製造装置に電力を供給するものとし、前記発電コストは原料費を含む変動費である。
【発明の効果】
【００１０】
本発明によれば、水素の製造コスト及び発電コストの高騰化を抑制することができる。
【図面の簡単な説明】
【００１１】
【図１】図１は、実施の形態における水素供給システムの構成を示すブロック図である。
【図２】図２は、実施の形態における水素供給システムの動作を示すフローチャートである。
【図３】図３は、実施の形態に係る水素供給システムにおける電力供給及び水素供給の一例を示すブロック図である。
【図４】図４は、実施の形態に係る水素供給システムにおける電力供給及び水素供給の一例を示すブロック図である。
【図５】図５は、実施の形態に係る水素供給システムにおける電力供給及び水素供給の一例を示すブロック図である。
【発明を実施するための形態】
【００１２】
以下、本発明の実施の形態について説明する。なお、以下に説明する実施の形態は、いずれも本発明の好ましい一具体例を示すものである。したがって、以下の実施の形態で示される、数値、形状、材料、構成要素、構成要素の配置位置及び接続形態、並びに、ステップ及びステップの順序などは、一例であって本発明を限定する主旨ではない。よって、以下の実施の形態における構成要素のうち、本発明の最上位概念を示す独立請求項に記載されていない構成要素については、任意の構成要素として説明される。
【００１３】
また、図面に示される構成要素の大きさ又は大きさの比は、必ずしも厳密ではない。なお、各図において、実質的に同一の構成に対しては同一の符号を付しており、重複する説明は省略又は簡略化する。
【００１４】
（実施の形態）
図１を参照しながら、実施の形態に係る水素供給システム１の全体構成について説明する。図１は、実施の形態における水素供給システムの構成を示すブロック図である。
【００１５】
図１において、太い実線で示す矢印は水素の流れを示している。例えば、各装置間は配管で接続されており、水素は配管で供給される。また、図１において、細い実線で示す矢印は、制御信号線を示しており、有線及び無線のいずれであってもよい。また、図１において、一点鎖線は、電線によって電力を供給している状態を示している。
【００１６】
図１に示すように、水素供給システム１は、水素により発電する燃料電池等の発電装置に水素を供給するシステムであり、水素製造装置１０と、貯蔵タンク２０と、第１発電装置（発電装置の一例）３０と、水素供給装置４０と、制御装置５０と、ポンプ７０とを備えている。
【００１７】
水素製造装置１０、貯蔵タンク２０、第１発電装置３０、水素供給装置４０、制御装置５０及びポンプ７０は、外部の施設２００に水素を供給する設備として設置される。施設２００は、例えば、一般家庭等の住宅又は店舗・工場等である。
【００１８】
水素製造装置１０は、水素元素（Ｈ）を含む原料から水素（Ｈ２）を製造する装置である。例えば、水素製造装置１０は、都市ガス（メタンガス）等の炭化水素ガスを原料（燃料）として水蒸気改質等の改質を行うことで水素を生成することができる。本実施の形態において、水素製造装置１０が製造する水素は、水素ガスであり、水素リッチガス及び純水素ガスのいずれであってもよい。
【００１９】
なお、水素を製造する方法は、改質法に限るものではない。例えば、アンモニアを分解することによって水素ガスを生成する方法でもよいし、有機ハイドライドから脱水素して水素ガスを生成する方法でもよいし、水（Ｈ２Ｏ）を電気分解して水素を生成する方法でもよいし、あるいは、触媒に太陽光をあてることによって水を分解して水素を生成する方法でもよい。
【００２０】
貯蔵タンク２０は、水素製造装置１０から供給された水素を貯蔵する。貯蔵タンク２０は、配管９１によって水素製造装置１０と接続されている。水素製造装置１０から貯蔵タンク２０への水素の供給は、図示しないポンプを用いて行うことができる。このポンプは、水素製造装置１０に設けられていてもいし、貯蔵タンク２０に設けられていてもよいし、配管９１上に設けられていてもよい。
【００２１】
また、貯蔵タンク２０と水素製造装置１０との間には、図示しない圧縮機が設けられていてもよい。この場合、圧縮機は、水素製造装置１０から供給された水素ガスを圧縮して、液体水素にする。圧縮機は、例えば、ピストン型圧縮機、ベーン型圧縮機等の圧縮機を採用する。圧縮機は、水素製造装置１０に内蔵されていてもよいし、配管９１上に設けられていてもよいし、貯蔵タンク２０に内蔵されていてもよい。この場合、圧縮機が水素ガスを圧縮して液体水素として貯蔵するため、水素製造装置１０から供給される水素ガスをそのまま気体として貯蔵する場合に比べ、貯蔵タンク２０を小型化できる。なお、水素製造装置１０から供給される水素ガスをそのまま気体として貯蔵してもよい。
【００２２】
貯蔵タンク２０とポンプ７０とは、配管９２で接続されている。また、ポンプ７０と第１発電装置３０とは、配管９３で接続されている。さらに、ポンプ７０と水素供給装置４０とは、ポンプ７０から水素供給装置４０に水素を供給するための配管９４で接続されている。なお、配管９３と配管９４とは、途中に分岐部を有する１つの配管であってもよいし、別個の２つの配管であってもよい。
【００２３】
貯蔵タンク２０には、図示しないセンサ等が設けられている。センサは、例えば超音波センサ等であり、貯蔵タンク２０内の水素量を検知し、貯蔵タンク２０内の水素量を制御装置５０に送信する。また、センサは、配管９２上で接続している流量センサでもよい。
【００２４】
ポンプ７０は、配管９２及び配管９３を介し、貯蔵タンク２０内の水素を第１発電装置３０に供給可能である。また、ポンプ７０は、配管９２及び配管９４を介し、貯蔵タンク２０内の水素を水素供給装置４０に供給可能である。なお、ポンプ７０は、貯蔵タンク２０に設けられていてもよい。また、配管９３及び配管９４には、図示しない電磁弁がそれぞれ配置されていてもよい。
【００２５】
第１発電装置３０は、貯蔵タンク２０に貯蔵された水素と図示しない空気供給器から供給される空気中の酸素とを用いて定期稼働で発電する。つまり、第１発電装置３０は、利用される頻度が高く、定期的に発電を行っている。第１発電装置３０は、例えば、水素を燃料として発電する燃料電池（ＦＣ）又は水素エンジン等である。第１発電装置３０で発電された電気エネルギーは、施設２００で利用される。例えば、第１発電装置３０で発電された電気エネルギーは、施設２００の電気機器（電力負荷）に利用される。
【００２６】
また、第１発電装置３０は、第１発電装置３０、水素製造装置１０、水素供給装置４０、制御装置５０及びポンプ７０にも運転するための電力を供給している。また、第１発電装置３０は、ポンプ７０以外にも、水素供給システムを運転するための補器（例えば、配管に配置された電磁弁及び筺体内を換気するファンなど）に電力を供給することができる。
【００２７】
水素供給装置４０は、貯蔵タンク２０に貯蔵された水素を不定期稼働で外部に供給する。つまり、水素供給装置４０は、不定期に訪れる移動体３００に貯蔵タンク２０内の水素を供給する。
【００２８】
また、水素供給装置４０は、図示しないタンクと、図示しないディスペンサーとを有している。タンクには、配管９２、ポンプ７０及び配管９４を介して貯蔵タンク２０からの水素が一時的に保存される。ディスペンサーは、移動体３００に接続することで、タンク内の水素を移動体３００に供給する。なお、水素供給装置４０は、貯蔵タンク２０から供給される水素を一時的に保存するタンクを有さず、ポンプ７０又は水素供給装置４０内のポンプを用いて貯蔵タンク２０から移動体３００に水素を供給する構成であってもよい。
【００２９】
移動体３００は、水素供給装置４０から供給される水素を用いて発電する第２発電装置６０を有する。移動体３００は、例えば、燃料電池自動車（ＦＶＣ）、燃料電池自動二輪車、燃料電池電動アシスト付き自転車である。この場合、第２発電装置６０は、水素を燃料として発電する燃料電池又は水素エンジン等である。第２発電装置６０で発電された電気エネルギーは、燃料電池自動車等の移動体３００で利用される。なお、移動体３００は、水素供給装置４０から供給される水素の熱エネルギーを動力に帰る水素エンジンを有する水素エンジン車であってもよい。
【００３０】
なお、水素供給装置４０は、移動体３００に水素を供給する場合に限るものではなく、不定期に水素を供給するものであれば、例えば水素を購入する人等が運ぶタンクに水素を供給してもよい。つまり、移動体３００は、燃料電池自動車等に限るものではなく、人等であってもよい。
【００３１】
制御装置５０は、水素製造装置１０と第１発電装置３０と水素供給装置４０とを制御する。制御装置５０は、コンピュータ等の情報処理装置に搭載されていてもよく、コンピュータに接続されている装置でもよい。制御装置５０は、アプリケーションやソフトウェア等のプログラムを記憶しているメモリ、プログラムを実行するプロセッサ等を有している。制御装置５０は、各装置類に含まれるプロセッサがメモリに記憶されたプログラムを実行することにより処理を実行する。
【００３２】
制御装置５０は、第１発電装置３０で発電する電力量及び移動体３００への水素供給量に応じて、水素製造装置１０が製造する水素の量を制御する。つまり、制御装置５０は、第１発電装置３０が発電した電力を施設２００に供給しているか否か、水素供給装置４０が水素を外部に供給しているか否かで水素製造装置１０に製造させる水素の量を制御する。
【００３３】
具体的には、制御装置５０は、第１発電装置３０で発電する電力量に合わせて、貯蔵タンク２０から第１発電装置３０に供給される水素量を変更することができる。例えば、制御装置５０がポンプ７０の稼働量を増やし、貯蔵タンク２０から供給する水素量を増加させ、第１発電装置３０が発電する電力量を大きくすることができる。また、例えば、制御装置５０がポンプ７０の稼働量を減らし、貯蔵タンク２０から供給する水素量を減少させ、第１発電装置３０が発電する電力量を小さくすることができる。
【００３４】
なお、第１発電装置３０の発電量に対して供給される水素の量が不足すると、燃料電池が劣化する又は発電できなくなる恐れがあるため、第１発電装置３０の発電量よりも水素の供給量が上回るよう制御する必要がある。また、第１発電装置３０の発電量よりも水素の供給量が大幅に上回ると、燃料電池の発電効率が低下する。従って、制御装置５０は、第１発電装置３０の発電量に合わせて、供給される水素量を最適に制御する。
【００３５】
また、制御装置５０は、外部のネットワーク８１を介してサーバ８２と接続している。制御装置５０は、電力系統１００から買取る単位電力量当たりの電力価格と、原料等の価格とをサーバ８２から定期的に自動で取得する。制御装置５０は、原料等の価格から第１発電装置３０を用いて発電するためにかかった単位電力当たりの発電コストを算出し、この発電コストをコンピュータの記憶部に格納する。
【００３６】
さらに、制御装置５０は、商用電源である電力系統１００に接続され、電力系統１００から電力の供給を受ける。制御装置５０は、電力分配回路と切替回路とを有している。電力分配回路は、電力系統１００から供給された電力を水素製造装置１０、第１発電装置３０、水素供給装置４０、ポンプ７０等に分配する。切替回路は、電力系統１００からの電力を用いるか、第１発電装置３０からの電力を用いるかで切替制御を行う。
【００３７】
以上のように構成される水素供給システム１の動作について説明する。
【００３８】
図２は、実施の形態における水素供給システム１の動作を示すフローチャートである。図３は、実施の形態における水素供給システムにおける電力供給の一例を示すブロック図である。図３は、水素供給システム１において、電力価格が発電コスト未満となっている状態を示している。
【００３９】
図２及び図３に示すように、コンピュータに格納されている専用のソフトウェアが始動すると、制御装置５０は、ネットワーク８１を介し、サーバ８２から電力系統１００で買取る単位電力当たりの電力価格を取得する（Ｓ１）。次に、制御装置５０は、第１発電装置３０を用いて発電するためにかかった単位電力量当たりの発電コストを算出する（Ｓ２）。発電コストは、原料等の価格変動により変化するため、制御装置５０が所的期間ごとにこれを行う。制御装置５０は、電力価格を取得するごとにコンピュータの記憶部に記憶させ、発電コストを取得するごとにコンピュータの記憶部に記憶させる。なお、ステップＳ２を行った後にステップＳ１を行ってもよい。
【００４０】
制御装置５０は、電力価格と発電コストとを比較し、電力価格が発電コスト未満であるか否かを判断する（Ｓ３）。制御装置５０は、電力価格が発電コスト未満であると判断する（Ｓ３ではＹＥＳ）と、水素製造装置１０、水素供給装置４０、ポンプ７０等に電力系統１００からの電力を分配供給する（Ｓ４）。水素製造装置１０、第１発電装置３０及びポンプ７０等は、第１発電装置３０からの電力により起動状態を保つ。そして、ステップＳ１に戻る。
【００４１】
図４は、実施の形態における水素供給システムにおける電力供給の一例を示すブロック図である。図４では、水素供給システム１が起動状態にある場合に、発電コストが電力価格以下となった場合である。
【００４２】
図２及び図４に示すように、制御装置５０は、発電コストが電力価格以下であると判断する（Ｓ３ではＮＯ）と、水素製造装置１０、水素供給装置４０、ポンプ７０等に第１発電装置３０からの電力を分配供給する（Ｓ５）。水素製造装置１０、第１発電装置３０及びポンプ７０等は、第１発電装置３０から供給される電力により起動状態を保つ。そして、ステップＳ１に戻る。
【００４３】
なお、この水素供給システム１では、水素供給システム１が起動中において、電力価格と発電コストとの変動により、電力価格が発電コスト未満であったものが、発電コストが電力価格以下となる場合に、制御装置５０は、図３に示す状態から図４に示す状態へと切替わる（Ｓ１〜Ｓ３、Ｓ５）。また、この水素供給システム１では、発電コストが電力価格以下であったものが、電力価格が発電コスト未満となる場合、制御装置５０は、図４に示す状態から図３に示す状態へと切替わる（Ｓ１〜Ｓ４）。
【００４４】
図５は、実施の形態における水素供給システムにおける電力供給の一例を示すブロック図である。図５では、水素供給システム１が始動した状態である。
【００４５】
図５に示すように、制御装置５０は、電力系統１００から供給される電力により始動する。制御装置５０は、水素製造装置１０、第１発電装置３０、水素供給装置４０、ポンプ７０等に電力系統１００からの電力を供給する。水素製造装置１０、第１発電装置３０、水素供給装置４０、ポンプ７０等は、電力系統１００から供給される電力で始動する。第１発電装置３０が起動して発電を開始した後、電力価格が発電コスト未満である場合に、制御装置５０は、水素製造装置１０、第１発電装置３０、水素供給装置４０、ポンプ７０等に電力系統１００が電力を供給し続ける（Ｓ１〜Ｓ４）。
【００４６】
一方、第１発電装置３０が起動して発電を開始した後、発電コストが電力価格以下である場合に、制御装置５０は、水素製造装置１０、第１発電装置３０、水素供給装置４０、ポンプ７０等に電力系統１００から第１発電装置３０の電力に切替えて供給する（Ｓ１〜Ｓ３、Ｓ５）。
【００４７】
なお、制御装置５０は、水素供給システム１が始動時において、発電コストが電力価格以下である場合に、貯蔵タンク２０に水素が貯蔵されている状態であれば、第１発電装置３０とポンプ７０とを始動させるだけでもよい。貯蔵タンク２０内の水素が第１発電装置３０に供給されれば、第１発電装置３０は、水素製造装置１０、水素供給装置４０、制御装置５０、ポンプ７０等に電力を供給する。
【００４８】
なお、水素供給システム１が停止している状態とは、貯蔵タンク２０内の水素量が予め設定した所定の貯蔵量以上となっている場合等である。しかし、水素製造装置１０の停止を行うことは好ましくない。なぜなら、水素製造装置１０を停止すると、停止した状態から水素製造装置１０を再起動させるには多大な電力消費を伴う等の事情があることから、可能な限り水素製造装置１０の停止を避けるべきである。このため、この水素供給システム１では、水素製造装置１０を稼働し続け、水素製造装置１０による水素の供給を継続することが好ましい。
【００４９】
以上のステップＳ１〜Ｓ５により、水素供給システム１を設置することで、電力を施設２００に供給したり、移動体３００に水素を供給したりすることができる。
【００５０】
次に、本実施の形態における水素供給システム１の効果について説明する。
【００５１】
上述したように、実施の形態１に係る水素供給システム１は、水素元素を含む原料から水素を製造する水素製造装置１０と、水素製造装置１０から供給された水素を用いて定期稼働で発電する第１発電装置３０と、第１発電装置３０と水素製造装置１０とを制御する制御装置５０とを備えている。制御装置５０は、電力系統１００から買取る単位電力量当たりの電力価格が第１発電装置３０を用いて発電するためにかかった単位電力量当たりの発電コスト未満である場合に、電力系統１００から水素製造装置１０に電力を供給し、発電コストが電力価格以下である場合に、第１発電装置３０から水素製造装置１０に電力を供給する。
【００５２】
この構成によれば、制御装置５０は、電力価格と発電コストとから両者を比較する。ここで、原料等の価格変動や電力系統１００の電力価格の価格変動により、電力価格が発電コスト未満又は発電コストが電力価格以下となることがある。制御装置５０は、電力系統１００又は第１発電装置３０において安価な方の電力を水素製造装置１０に供給する。このため、電力系統１００又は第１発電装置３０のいずれかにおいて安価な方の電力を水素製造装置１０に供給するため、発電コストと電力価格との差額分だけ、水素製造装置１０が水素を安価に製造することができる。その結果、この水素供給システム１のランニングコストを安くすることができる。
【００５３】
したがって、水素の製造コスト及び発電コストの高騰化を抑制することができる。
【００５４】
さらに、実施の形態１に係る水素供給システム１では、水素製造装置１０から供給された水素を不定期稼働で外部に供給する水素供給装置４０を備えている。制御装置５０は、電力価格が発電コスト未満である場合に、電力系統１００から水素供給装置４０に電力を供給し、発電コストが電力価格以下である場合に、第１発電装置３０から水素供給装置４０に電力を供給する。
【００５５】
この構成によれば、制御装置５０は、水素供給装置４０に電力系統１００又は第１発電装置３０において安価な方の電力を供給する。このため、電力系統１００又は第１発電装置３０のいずれかにおいて安価な方の電力を水素供給装置４０に供給するため、発電コストと電力価格との差額分だけ、水素供給装置４０を安価に起動することができる。その結果、この水素供給システム１のランニングコストをより安くすることができる。
【００５６】
さらに、実施の形態１に係る水素供給システム１では、第１発電装置３０が発電停止している状態において、制御装置５０は、電力価格が発電コスト未満である場合に、水素製造装置１０に電力系統１００からの電力を供給し、発電コストが電力価格以下である場合に、電力系統１００からの電力を水素製造装置１０及び第１発電装置３０に供給し、第１発電装置３０を起動して発電を開始した後、水素製造装置１０に第１発電装置３０からの電力を供給する。
【００５７】
この構成によれば、水素供給システム１の始動後において、制御装置５０は、電力系統１００又は第１発電装置３０のいずれかにおいて安価な方の電力を水素製造装置１０に供給する。このため、発電コストと電力価格との差額分だけ、水素製造装置１０を安価に起動することができる。その結果、この水素供給システム１のランニングコストをより安くすることができる。
【００５８】
さらに、実施の形態１に係る水素供給システム１では、第１発電装置３０が発電停止している状態において、制御装置５０は、電力価格が発電コスト未満である場合に、水素供給装置４０に電力系統１００からの電力を供給し、発電コストが電力価格以下である場合に、電力系統１００からの電力を水素製造装置１０、第１発電装置３０及び水素供給装置４０に供給し、第１発電装置３０を起動して発電を開始した後、水素供給装置４０に第１発電装置３０からの電力を供給する。
【００５９】
この構成によれば、水素供給システム１の始動後において、制御装置５０は、電力系統１００又は第１発電装置３０のいずれかにおいて安価な方の電力を水素供給装置４０に供給する。このため、発電コストと電力価格との差額分だけ、水素製造装置１０を安価に起動することができる。その結果、この水素供給システム１のランニングコストをより安くすることができる。
【００６０】
（変形例）
以上、本発明に係る水素供給システムについて、実施の形態に基づいて説明したが、本発明は、これらの実施の形態に限定されるものではない。
【００６１】
ポンプ７０は、配管９２を介して貯蔵タンク２０と接続されている例として記載したが、これに限定されない。例えば、配管９３及び配管９４にそれぞれポンプが配置されていてもよい。また、第１発電装置３０及び水素供給装置４０にそれぞれポンプが設けられていてもよい。
【００６２】
また、例えば、上記の各実施の形態において、制御装置５０は、電力価格と原料等の価格とをサーバ８２から定期的に自動で取得するだけでなく、使用者が視認した内容を定期的に入力した価格でもよい。
【００６３】
また、制御装置５０は、水素製造装置１０、貯蔵タンク２０、第１発電装置３０及び水素供給装置４０のいずれかに搭載されていてもよい。制御装置５０は、水素製造装置１０、貯蔵タンク２０、第１発電装置３０及び水素供給装置４０とは別個の装置であってもよい。
【００６４】
また、制御装置５０は、回路であってもよい。これらの回路は、全体として１つの回路を構成してもよいし、それぞれ別々の回路でもよい。また、これらの回路は、それぞれ、汎用的な回路でもよいし、専用の回路でもよい。
【００６５】
また、水素製造装置１０と貯蔵タンク２０とが一つの設備として実現されていてもよい。例えば、水素製造装置１０と貯蔵タンク２０とが同じ筐体に収納されていてもよいし、水素製造装置１０に貯蔵タンク２０が内蔵されていてもよい。
【００６６】
また、本発明は、水素供給システムとして実現できるだけでなく、水素供給方法及び水素供給方法をコンピュータに実行させるプログラムとして実現することもできる。
【００６７】
その他に、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【産業上の利用可能性】
【００６８】
本発明は、水素により発電する燃料電池等の発電装置に水素を供給するための水素供給システムとして有用である。
【符号の説明】
【００６９】
１  水素供給システム
１０  水素製造装置
３０  第１発電装置（発電装置）
４０  水素供給装置
５０  制御装置
１００  電力系統
【図１】
0006660614.tif 000002
【図２】
0006660614.tif 000003
【図３】
0006660614.tif 000004
【図４】
0006660614.tif 000005
【図５】
0006660614.tif 000006